(57)【要約】この発明は、特に歯科領域に適用される複合マテリアルズを光重合するエレクトロ・オプチカル装置に関するものである。この発明装置は、１個又はグループのＬＥＤによる光源（２）をもつ。これは、通常ＤＣ／ＤＣコンバータとして知られている直流／直流コンバータ装置に関連しているバッテリー（４）、放熱を受動的に行う手段（３）並びに所定の光重合エネルギーのプロフィールとなるように光源の複数の操作パラメータを管理する中央ユニット（５）を備えているものである。
2005516728.tif 000002
【特許請求の範囲】
【請求項１】
特に歯科領域に適用される複合マテリアルズを光重合するエレクトロ・オプチカル装置であり、１個又はグループのＬＥＤによる光源（２）を有し、通常ＤＣ／ＤＣコンバータとして知られている直流／直流コンバータ装置に関連しているバッテリー（４）、放熱を受動的に行う手段（３）並びに所定の光重合エネルギーのプロフィールとなるように光源の複数の操作パラメータを管理する中央ユニット（５）を備えているもの。
【請求項２】
サイクルレシオモジュレーションにより予め定められた値になるように各ＬＥＤ（２０）又はグループのＬＥＤ（２０）に電力を供給する出力回路を備えていることを特徴とする請求項１による装置。
【請求項３】
前記ＬＥＤのサーマルドリフトを補正する装置を備えていることを特徴とする請求項１又は請求項２による装置。
【請求項４】
放熱を受動的に行う手段は、ＬＥＤを支持する電子カードを備え、このカードは、ＬＥＤそれぞれの基部から熱を前記カードの周辺に伝える複数の金属トラックを含む構成になっていることを特徴とする前記請求項のいずれか一つによる装置。
【請求項５】
前記受動的な放熱手段は、前記ＬＥＤそれぞれのケーシングまわりに配置されていて、前記ダイオードそれぞれから最大の熱量を前記カードの周辺に逃がす伝熱マテリアルを備えていることを特徴とする前記請求項のいずれか一つによる装置。
【請求項６】
前記受動的な放熱手段は、伝熱ペースト又は接着剤により前記カードに接続している金属ラジエター及び前記カードと前記ラジエターを高い熱イナーシャをもつ金属部材に接続する熱接合を備え、前記金属部材は熱量の受け、そして前記システムのために必要な光学アッセンブリーを支持していることを特徴とする前記請求項のいずれか一つによる装置。
【請求項７】
前記受動的な放熱手段は、前記熱結合部に埋設された温度センサを備え、このセンサでリアルタイムに前記光学アッセンブリーの温度レベルを測定できるようになっていることを特徴とする請求項６による装置。
【請求項８】
前記放熱手段は、個々に又は組み合わせて、以下の特性の一方又は他方のものを備えていることを特徴とする前記請求項のいずれか一つによる装置：
−複数のＬＥＤが溶接されている電子カードで、溶接スポットは、熱をよく伝える大きな寸法の複数の電気トラックに接続され、前記電子カードには、金属化された複数の熱ウエルがあけられていて、前記カードの裏面及び前記ＬＥＤから遠くに向け可及的速やかに熱を伝えるようになっている電子カード。
−前記カード自体には接触していない前記複数のダイオードの周縁の壁に接触配置されている伝熱製品。これらの製品は、粘着性をもち、前記複数のダイオードの間に配置された後に硬化され、これらは、等しくソリッドのもので、前記複数のダイオードの配置とおりに切断され、熱をよく伝えるコンダクタ（ペースト又は接着剤）により前記ダイオードに密接している前記カード。
−前記カードの背後にある金属ラジエターであって、ペースト又は伝熱接着剤により前記カードに接続していて、前記カードを横切る熱ウエルからの熱量をリカバーするもの。
−これらすべての要素は、ペースト又は接着剤により高い熱イナーシャをもつ金属部材に熱が伝わるように接続されており、これらは、また、前記光学要素を支持する。前記部材は、前記ランプが点灯したとき、熱量を速やかに取り、熱を一時的に蓄え、前記ランプを使用しないときに、前記システムのアッセンブリーに、コンダクション又はコンベクションによりさらにゆっくり熱を戻す。
−前記金属部材が蓄熱容量に達したとき、給電を止める温度検知システム。
【請求項９】
前記電子給電手段は、以下のものを備えていることを特徴とする前記請求項のいずれか一つによる装置：
−シフトレジスタとサイクルレシオ変調によりコントロールされる回路であって、これにより各ＬＥＤグループの発光強度を選択し、変調させる。
−バッテリーの電圧を下げて、前記コントロール回路に給電する高効率のＤＣ／ＤＣコンバータ。
前記ダイオードの内部抵抗を使用し、前記ＤＣ／ＤＣコンバータの出力で電子発光ダイオード類をダイレクトに分極（polarization）させること。
−前記分極（polarization）電圧を調節し、前記ダイオードへの供給電圧を変えて、光学パワーを変えるシステム。
−一定の出力パワーを得るために、サーマル・サーボコントロールによりこの分極（polarization）電圧を自動的に補正すること。
【請求項１０】
前記光源は、最適な発光安定性に匹敵する最高の蓄熱温度を検知する手段を備えていることを特徴とする前記請求項のいずれか一つによる装置。
【請求項１１】
前記バッテリーは、Ｌｉイオンバッテリーであり、前記装置を保証するために温度センサが設けられていることを特徴とする前記請求項のいずれか一つによる装置。
【請求項１２】
前記バッテリーは、ハイブリッドイオンバッテリーであり、充電レベルを管理し、それを液晶ディスプレイスクリーンに表示することを特徴とする前記請求項１から請求項１０のいずれか一つによる装置。
【請求項１３】
基準出力を再調整するポテンショメータを備え、各装置を個々に調節することで製造製品を同じ既知の値に調節可能にしていることを特徴とする前記請求項のいずれか一つによる装置。
【発明の詳細な説明】
【技術分野】
【０００１】
この発明は、複合マテリアル、特に歯科分野に適用される複合マテリアルの光重合のための電子光学装置を目的として有する。
【０００２】
歯科技術に用いられる複合マテリアルは、概ね、使用されるマテリアルの吸収能をファンクションとしての所定の波長の光線を照射することで分子構造が変移する光重合可能な樹脂を基礎にしている。このような手段においては、重合の間、治療帯域まわりの組織を大幅に過熱することを防ぐために、前記照射のエネルギーのファンクションとして計算した露光時間にわたり前記マテリアルの光重合開始剤を活性化させる。
【０００３】
注意すべき点は、照射、波長、強度、露光時間といった照射のパラメータは、当然ながら、各複合物の特定の組成のみならず色彩及び厚さにも依存する点である。大きな質量の濃色の複合物は、これを光重合するには、強度がより強い照射を必要とする。この点が重合のパラメーターと言われる所以である。これらのファクター類を最適な態様で働かすには、露光の間変わらない態様で、しかも歯医者が手当てを行う間危険な中断がなく前記複合物を使用できるように十分な時間をかけるるようにするが、いまだ十分に信頼できる解決策は、提案されていない。
【０００４】
以下に記載のものに相当する光重合装置は、すでに知られており、通常ＬＥＤと言われているエレクトロ−ルミネセント・ダイオードが使用されており、これらは、しばしば、３８０〜５１０ｎｍを含む波長の光を発光する。例えば、これらの装置は、パワーカード、冷却システム、光源及び前記光源による光エネルギーを照射領域（又は治療領域）の方向に向けて投射する光学手段を備えている。これらの電子手段は、例えば、分極（polarization）抵抗、能動的なベンチレーションシステム（ベンチレータ又はペルチエ効果）又は受動的なベンチレーションシステム（セラミックカード）により定まるＬＥＤ電流を直線規制で供給するタイプのような供給カードのようなものになっている。
【０００５】
結局は、これまで知られている装置は、決められたプロフィールの発光をするのに適してるだけで、操作者が出力の安定度を確認できず、冷却ベンチレータの有害な作用又は前記したパッシブな冷却システムの問題ある作用に従わざるを得ないものになっている。実際に、照射時間だけが正確に作動できる唯一のパラメータになっている。かくして、このような装置は、使用についての保証ができず、適用範囲も限定されてしまう。
【０００６】
このような装置における光源としては、例えば、水銀灯が使用されているが、これは、患者の目と頬粘膜に危険な紫外線スペクトルを放出する欠点がある。これらのランプ類は、発光開始に高電流と高電圧が必要であり、冷却システムの多くは、ベンチレータに依存し、したがって、パルス化された空気を使用するか、又は最強力なものとしては、水の循環とラジエターとを使用する。他の装置では、ハロゲンランプを使用するものがあるが、これは、光エネルギーについて、ルーメン／ワット比率が低く、高熱を発する欠点があり、強度を増すために出力を制限する必要がある。これらのランプは、発光源に有用なパワーと比較できない効率のものを使用し、冷却システムも同じようにパルス化空気に基づいている。
【０００７】
別の装置には、レーザーを装備したものがあるが、レーザーの光線は、単色光線に相当する光線であって、波長スペクトルが低いことで、ここでもまた、よく重合できる組成物が限定されてしまう。これらのランプは、複雑な供給源を使用し、冷却システムもパルス化空気又は循環する水を使用する。さらに、レーザーは、高価な装置で、維持費と設備費も高い。
【０００８】
電位が相違するように複数の電極を間隔をおいて配置し、高温度で部分的にイオン化されたガスを介して電弧を発生させる装置も知られている。このようなシステムは、赤外線フィルタを供給源の直前面に配置し、放出される光線スペクトルを４００〜８００ｎｍになるようにする。ついで、ローパスフィルタで前記フィルタのハイカットオフ周波数を約５１５ｎｍに定める。このようなランプに使用される供給源は、スタート時に数キロワットの電圧を必要とし、パルス化空気を使用する冷却システムを用いているが、これは、他の装置における水循環よりも強力ではない。
【０００９】
しかしながら、これらの装置においては、供給源の光パワーを上げるには、危険が伴い、生体組織に光エネルギーが吸収され、温度がかなり高くなれば組織を破壊してしまう。さらに、時間の経過に伴い発光強度が変動してしまうエネルギープロフィールを変えることができない。この結果、例えば、異なる色の複合マテリアルズに前記装置を適用できない。
【００１０】
また、プラズマエネルギーを使用し、多少複雑な濾過による隔離された選択的発光を行う光重合装置も存在する。ＦＲ−９８  ０１２４３の書面には、このような装置が開示されている。このようなランプもまた、スタート時点で数キロボルトの電圧を必要とし、冷却システムには、パルス化空気又は循環水を使用している。
【００１１】
注目すべきは、このような装置は、熱量が１２００ｎｍを越える帯域をパスする高いカロリーである特殊性をもつ点である。このような結果、重合の時点での温度上昇が高く危険である。さらに、このような装置には、高能率の冷却システムが要求されるが、これらは、高価格で、重いものになってしまう。
【００１２】
例えば、ＥＰ−Ａ−０  ８８０  ９４５、ＪＰ−Ａ−９０１０２３８、ＵＳ−Ａ−５  ６３４  ７１１、ＰＣＴ／ＡＵ９７／００２０７により光源がＬＥＤによる光重合装置も知られている。実際上、複数の青色ＬＥＤを支持デッキ上に装置本体の内部に対し垂直に配置できるか疑問である。ＬＥＤのデッキの前部には、発光された光線を集中させ、これらをウエーブガイドの方向に向け、その後端から処置すべき面に向けて集光された光線を照射する。この装置は、外部の電気エネルギー源に接続のガン形状になっている。これらのランプは、供給源としてＬＥＤの分極（polarization）電流を決めるために複数の抵抗を用いている。前記した装置とは異なり、冷却の必要性はない。事実上、“電気エネルギー”を“光エネルギー”へ高収率で効果的に換えることができ、これらＬＥＤを通常の特性で使用すれば、放熱のためにアクティブな冷却手段を必要としない。光重合に使用した場合には、前記ダイオードに最大出力を求め、これによって通常より以上の大電流で、これらを動作させるようにする。前もって準備しておかないと、電流が多く流れて前記ダイオードを過熱させ、これらの電気特性が変わり、発光強度が低下してしまう。このようになれば、事態は逆行してしまう。熱挙動と電気供給の点を把握してないと、最高の出力が得られない。
【００１３】
上記すべての場合、そして、ＬＥＤ光源に関する場合には特に、前記装置は、時間上安定しない通常の給電システムで供給され、温度上昇に対しては概ね敏感に挙動する。ＬＥＤ製造者は、特に、温度が４０℃に上昇すると、給電されている電流に変化を来し、出力がほぼ５０％近くに落ちてしまう点に注意している。
【００１４】
これまでに提案されているアッセンブリーすべては、問題の僅か一部しか解決しておらず、操作者は、ノイジーで作業の邪魔となる接続手段の通常の冷却手段を使用せざるを得ないものになっている。さらに、照射強度、面ユニット当たりの密度又は照射シーケンスの回数などすべてを変更することが困難であり、問題解消に至っていない。最後に、これら書類に記載の装置の使用に当たっては、短い時間に決められていて、操作者は、光重合すべきマテリアルズの厚さに応じての照射時間とバッテリーの再充電を管理することができるだけになっている。
【００１５】
結局は、公知の技術においては、基本の態様での露光、即ち、露光時間の増減は可能であるにせよ、現時点では、長時間又は大きなパワー規模での露光ができないものである。実際に、現在の装置では、ダイナミックに変化させることができない。
【００１６】
この発明は、特に歯科領域に適用される複合マテリアルズを光重合し、エネルギーを他に依存せず、安定状態で調節可能に供給できるエレクトロ・オプチカル装置を提供することで前記欠点を克服することを目的とするもので、この装置は、治療の間時宜を得ての信頼できる重合が行えるようにするために、最適化された安定した電子システム、積極的に換気を必要としないＬＥＤをベースとする光源並びに前記光源が発する熱エネルギーの向き及び排気を行う熱手段を備えているものである。
【００１７】
このように、この発明は、特に歯科領域に適用される複合マテリアルズを光重合する１個又はグループのＬＥＤによる光源もつ形式のエレクトロ・オプチカル装置に関するものであり、これは、通常ＤＣ／ＤＣコンバータとして知られている直流／直流コンバータ装置に関連しているバッテリーからなる電子給電手段、放熱を受動的に行う手段並びに所定の光重合エネルギーのプロフィールとなるように光源の複数の操作パラメータを管理する中央ユニットを備えていることを本質的に特徴とするものである。
【００１８】
出力が可変な前記ＤＣ／ＤＣコンバータによって、直流電圧を限定することで前記分極（polarization）電流を抵抗なしに調節できるもので、この結果、熱挙動をモニターし、節電することでバッテリーを長もちさせ、バッテリーの充電状態の如何に拘らず、該バッテリーが完全に放電してしまうまで出力パワーを維持させることで、発光パワーを安定させ、治療の質を保証する。
【００１９】
この発明による装置の付加の特性によれば、サイクルレシオを変調することにより各ＬＥＤ又はＬＥＤグループを所定の値にする出力回路を備えている。
【００２０】
この発明による装置の付加の特性によれば、ＬＥＤの熱ドリフトを補正する装置を備えている。
【００２１】
この発明による装置の付加の特性によれば、受動的な放熱手段は、ＬＥＤを支持する電子カードを備え、このカードは、ＬＥＤそれぞれの基部から熱を前記カードの周辺に伝える複数の金属トラックを含む構成になっている。
【００２２】
この発明による装置の付加の特性によれば、前記受動的な放熱手段は、前記ＬＥＤそれぞれのケーシングまわりに配置されていて、前記ダイオードそれぞれから最大の熱量を前記カードの周辺に逃がす伝熱マテリアルを備えている。
【００２３】
この発明による装置の付加の特性によれば、前記受動的な放熱手段は、伝熱ペースト又は接着剤により前記カードに接続している金属ラジエター及び前記カードと前記ラジエターを高い熱イナーシャをもつ金属部材に接続する熱接合を備え、前記金属部材は熱量の受け、そして前記システムのために必要な光学アッセンブリーを支持している。
【００２４】
この発明による装置の付加の特性によれば、前記受動的な放熱手段は、前記熱結合部に埋設された温度センサを備え、このセンサでリアルタイムに前記光学アッセンブリーの温度レベルを測定できるようになっている。
【００２５】
エネルギーについて放出される出力を維持するために前記光線を導く前記光学システムは、光重合のために光重合すべき複合マテリアルズの特性のファンクションが必要になる。
【００２６】
この発明による装置の実施の態様の特定の形態によれば、前記放熱手段は、個々に又は組み合わせて、以下の特性の一方又は他方のものを備えている：
【００２７】
−複数のＬＥＤが溶接されている電子カードで、溶接スポットは、熱をよく伝える大きな寸法の複数の電気トラックに接続され、前記電子カードには、金属化された複数の熱ウエル（well）があけられていて、前記カードの裏面及び前記ＬＥＤから遠くに向け可及的速やかに熱を伝えるようになっている。
【００２８】
−前記カード自体には接触していない前記複数のダイオードの周縁の壁に接触配置されている伝熱製品。これらの製品は、粘着性をもち、前記複数のダイオードの間に配置された後に硬化され、これらは、等しくソリッドのもので、前記複数のダイオードの配置とおりに切断され、熱をよく伝えるコンダクタ（ペースト又は接着剤）により前記ダイオードに密接している。
【００２９】
−前記カードの背後にある金属ラジエターであって、ペースト又は伝熱接着剤により前記カードに接続していて、前記カードを横切る熱ウエルからの熱量をリカバーするもの。
【００３０】
−ペースト又は接着剤により高い熱イナーシャをもつ金属部材に熱が伝わるように接続されている複数の要素であり、これらは、また、前記光学要素を支持する。前記部材は、前記ランプが点灯したとき、熱量を速やかに取り、熱を一時的に蓄え、前記ランプを使用しないときに、前記システムのアッセンブリーに、コンダクション又はコンベクションによりさらにゆっくり熱を戻す。
【００３１】
−前記金属部材が蓄熱容量に達したとき、給電を止める温度検知システム。
【００３２】
この発明による装置の付加の特徴によれば、前記電子給電手段は、以下のものを備えている：
【００３３】
−シフトレジスタとサイクルレシオ変調によりコントロールされる回路であって、これにより各ＬＥＤグループの発光強度を選択し、変調させる。
【００３４】
−バッテリーの電圧を下げて、前記コントロール回路に給電する高効率のＤＣ／ＤＣコンバータ。
【００３５】
前記ダイオードの内部抵抗を使用し、前記ＤＣ／ＤＣコンバータの出力で電子発光ダイオード類を直接に分極（polarization）させること。
【００３６】
−前記分極（polarization）電圧を調節し、前記ダイオードへの供給電圧を変えて、光学パワーを変えるシステム。
【００３７】
−一定の出力パワーを得るために、サーマル・サーボコントロールによりこの分極（polarization）電圧を自動的に補正すること。
【００３８】
高効率のＤＣ／ＤＣコンバータにより前記バッテリーからの一次電流を下げ、バッテリーを長もちさせ、自主性を長くもたせること。さらに、このＤＣ／ＤＣコンバータを使用することで、バッテリーの充電レベルの変動による電圧変動をなくすことができる。
【００３９】
前記光源は、有利には、最適な発光安定性に匹敵する最高の蓄熱温度を検知する手段を備えている。
【００４０】
このモニターシステムは、ヒステリシスに働く二つの最低及び最高レベルの間で機能し、熱規制システムが不具合のとき前記ダイオードにおける電流を制限し、過熱を避ける。
【００４１】
前記バッテリーは、好ましくは、Ｌｉイオンバッテリーであり、前記装置を保証するために温度センサが設けられている。
【００４２】
前記カードの出力を維持する手段の内、注目すべきは、出力をモニターし、安定させる装置がサーボコントロールで案内され、これで前記出力を所望の値に維持する。
【００４３】
この発明は、有利には、出力を予め調節し設定するポテンショメータを備え、これによって、各装置を個々に調節することで、製造ものを同じ既知の値に調節できる。
【００４４】
当然ではあるが、このような解決策で、他の機能が考えられる、例えば、この発明によれば、遠隔調節、電話診断又は前記光重合装置の出力の遠隔維持、インターネットによる遠隔調節又は使用者による調節、又は、アフターサービスによる出力のアップグレードなどである。
【００４５】
この発明から生じる利点は、機能が一定になってしまっているＬＥＤランプに使用が限定されるものではなく、広く一般に使用されることができる点にある。したがって、光重合エネルギープロフィールを採用できるのみならず、この装置は、実際に、これらランプの特殊性に適合できるようになっている。したがって、操作者は、複合マテリアルズを重合するのに特定のＬＥＤレンジを使用することに限定されず、操作者は、自ら自個の経験を考慮して光重合装置の操作条件をそしてさらに、前記マテリアルの使用の条件をもモディファイできる。最終的には、出力を正しく調節し、熱をモニターすることで、この分野における要求に応えることができる。
【００４６】
この発明の他の目的と利点は、明示し、限定されない実施例による実施の態様に関する以下の記述で明らかになる。
【００４７】
添付の図面を学ぶことで、以下の記述が容易に理解される。
【００４８】
図面に示すように、この発明は、歯科領域において特に関心が強く寄せられる複合マテリアルズの光重合の装置１に関するものである。
【００４９】
この装置１は、本体１０に主要な要素が内蔵されている。かくて、この装置１は、光学コーンの形をしており、特に好ましくは、ＬＥＤと称されているエレクトロ−ルミネセント・ダイオード２０からなる光源２を備え、この光源は、所定の波長又は一定の波長スペクトルで発光するものである。
【００５０】
図２，３に示した例では、ＬＥＤ２０は、支持ディク２１上に配置されていて、本体２０の長さ方向軸に対し垂直に位置されている。
【００５１】
装置１は、また光源２で発生された熱エネルギーを前記装置の効率を損なわずに排出させる領域に向いている放熱手段３を備えている。
【００５２】
図１に見られるように、このような放熱手段３は、本体１０の前部に位置する放熱ガイド３０から構成されている。
【００５３】
特に注目すべきは、この発明においては、前記のような熱又は光学電子手段になんらの限定もない点である。実際に、それらは、一つ又は複数の排出チャンネルの形式をとることができるもので、熱案内の分野に詳しい当業者により知られているとしても、この出願においては、発生した熱量をよく伝え、したがって、同じ発光パワーを維持できる利点を提供するものである。この発明の特殊性の一つとして光重合の反応を最高なものとし、これにより発光のエネルギー低下を防ぐ点は、極めて重要なことである。
【００５４】
さらに、これらの放熱手段３は、トラックの形をしていて、これらトラックの各々は、ＬＥＤ２０に一致していて、支持プレート上において、選択的態様でＬＥＤ２０の各々に対し放熱することができる。この装置は、かくして、調節可能で個々に消去される手段に変わる。上記したように、この特殊な点により、調節可能な最適な放熱が可能になる。
【００５５】
さらに、図１においては、バッテリーであるエネルギー源４及び光学手段が本体１０の交換可能な部分に適当な接続手段により合体され、光源２が老化したとき、例えば多い個数又は少ない個数のＬＥＤからなる光源をもっと強い光源又は弱い光源に置き換えることを考えずに交換することが容易になる。さらに、エネルギー源４が取り外しできるから、消耗のときには素早く交換することができるようになっている。
【００５６】
さらに、前記装置は、光源２の操作を管理して所定の光重合エネルギープロフィールに合うようにする中央ユニット５を備えている。
【００５７】
このようにして、好ましくは再充電可能な１個又は複数のバッテリー４及び／又は図４に示すような主の電力供給置き台に接続の手段による電力供給により、中央ユニット５は、電力コード６を介して光源２の操作をコントロールし、所定の電力で所定のシーケンスで照射を行わせるようになっている。
【００５８】
ＬＥＤ２０については、これらは、図８に略示するように、基本モジュール２２に分けられていることが好ましく、これらモジュールのそれぞれは、いくつかの同一又は異なるＬＥＤ２０から構成され、調節回路で電力が供給される。これらの回路により中央ユニット５を介して所定の電力が基本モジュール２２それぞれのＬＥＤ２０に供給される。
【００５９】
さらには、エネルギー源４は、モジュールの構成になっている調節ポテンショメータ７０を備えた、通常ＤＣ／ＤＣコンバータと言われている直流／直流コンバータ７と関連している。
【００６０】
図９に詳しく示すように、切り替えモードの変圧器のように、ＤＣ／ＤＣモジュール７は、バッテリーの電圧を下げ、バッテリー４からの電圧に関係なく、出力電圧を常に一定にして円滑なものにする。調節装置によってベイシックの出力電圧を調節可能なものとし、該等電圧は、ついで温度センサからの情報の機能としてモジュレートされる。
【００６１】
更に、パワーカード６は、シフトレジスタ及びサイクルレシオ・モジュレーションによりコントロールされる回路６０を備え、これによって、ＬＥＤ２０の各グループの放出パワーを選択し、モジュレートする。
【００６２】
これらの要素を携帯可能で、邪魔ものにならないようなユニットにしてに最適に集合させるために、前記複数のシフトレジスタ及び電流調節回路をＡＳＩＣ内に集めることができる。
【００６３】
更に加えて注目すべき点は、ＬＥＤの各モジュール２２に対するシフトレジスタ及び調節回路の上記の点は、最高の発光効率にとらわれるものではなく、ＬＥＤ２０のこれらのモジュール２２を階段状に連続して配置することができるからである。
【００６４】
さらに、このような重要な集合化に答えるために、前記ＡＳＩＣをＬＥＤ２０又はダイオーヂのモジュール２２に対しディスク又は複数のディスク２１の反対側面に取り付けることができる。
【００６５】
図８は、前記装置のダイアグラムを詳細に示すものである。かくて、該装置は、詳しくは、チャージャーユニットＢＣ、直流電源供給構成ＤＣ、メモリーＭ，ライブラリーＢ及びオペレータ・インターフェースＩＯに接続のマイクロコントローラＭＣを備えている。
【００６６】
図８に示すように、ＤＣ／ＤＣモジュール７は、バッテリー４に直結されていて、該モジュールによりバッテリーの電圧を所望の基準電圧に低下させるもので、この基準電圧は、温度センダＣＴＴからの情報をもとにして中央ユニットカード５によりリアルタイムで補正される。
【００６７】
図８は、ＬＥＤ２０の各モジュール２２を一定の照射シーケンスにおいて所定のエネルギープロフィールにするための供給電力を略図的に示すものである。一方、図９は、波長の時間と発光パワー又は発光ダイオードの数をファンクションとして照射強度又は密度を示す。
【００６８】
これは、また、異なるサイクルレシオを用いて中央ユニット５がＬＥＤの出力、したがって、発光照射力を調整できることを示している。
【００６９】
この発明によれば、このように、装置１は、光出力の一つ又は複数の操作パラメータを調節する手段を組み合わせているもので、該パラメータは、即ち、
−照射強度
−サイクルレシオ
−及び／又は表面ユニットごとの照射密度；
−温度のモニター
−及び／又は重合エネルギープロフィールを光重合ランプの特性のファンクションとして採用するための、これらのシーケンスそれぞれの期間。
【００７０】
これらの手段は、前記中央ユニット５に接続のメモリーにおいて、前記メモリー及び／又はデータに前もって記録されている複数のプロフィールから、さらには、再び、前記調節可能なパラメータの一つ又は複数に関して前記メモリーにすでに記録されている複数のプロフィールから決定されたエネルギープロフィールを選択する手段からなる。
【００７１】
このようにして、例えば、ＤＣ／ＤＣカード７において、前記基準電圧のチョッピングによりダイオード２０の各グループの出力を変えることができる。
【００７２】
操作する人は、メニュウを介して異なる予め定められたエネルギー出力を選択することができる。注目すべきは、このような選択手段により操作者は前記出力を調節することができる。
【００７３】
これらの異なる形式の調節手段を組み合わせることは、当然に考えられる。
【００７４】
この装置は、また、有利には、調節手段を備えていて、該手段は、またここでもポテンショメータ及び／又はタッチスクリーン及び／又は他の取得手段、特には遠隔手段の形式のもので、前記中央ユニットに接続のメモリーの正確なプログラム化を行い、調節可能なパラメータに関する異なるエネルギー値及び／又は異なるデータを記録させるようになっている。
【００７５】
これらの調節手段は、例えば、インターネット形式のネットワークを介して新しいエネルギーをダウンロードするためには、特に、図５に示すように、ＲＳ２３２Ｃインターフェース５０を経てのマイクロコンピュータ８を介してデータのダウンロードのための手段を使用することができる点に注目すべきである。これらのダウンロード手段は、前記装置に、又は、上記したローディングサポート１１に直接集積化されているかのモデムの形式でもよい。
【００７６】
別の実施の態様によれば、これらの出力調節手段は、バーコード読取り手段ＣＢの形式でもよい。
【００７７】
また、好ましくはプログラムできるスマートカードの形式のメモリーを使用することもでき、前記装置１は、適当なリーダーを備えている。ここでもまた、特に、ユーザーが操作しなければならない道具パーツを軽量化したい場合には、このスマートカード・リーダーは、ローディングサポート１１のレベルでよい。
【００７８】
ここでもまた、装置１は、上記した取得手段の異なる態様の組合せたものを備えることが分かる。
【００７９】
光源の出力の一つ又は複数のものを調節する手段の特別な目的は、上記したように、表面ユニットごとの照射密度をさらに干渉することにある。実際、特に規制回路を介して、光重合反応の間、各基本モジュールのレベルで供給されているＬＥＤの数及び／又はこれらの供給強度に干渉することで、照射密度を調節できる。
【００８０】
前記記述から分かるように、この発明は、複合マテリアルズの種々異なるタイプのものを光重合するための現在の装置におけるようなＬＥＤランプの出力の変更及び熱の上昇に実際に対応することで生じている問題に対し完全に応答できるものである。すべてを考慮して、この発明による装置により、ユーザーは、望むように操作条件を調節できるものであり、従来の場合のようにしばしば起きているように、決められた出力を使用し、この出力を低下させてしまうようなことに拘束されずにすむものである。
【図面の簡単な説明】
【００８１】
【図１】この発明の主題を形成する装置で、装置本体が透明になっている略図。
【図２】前記装置の本体の長さ方向に対し垂直に向くディスクに支持されていて、この軸まわりに分布されているＬＥＤを示す略図。
【図３】図２の略示断面図。
【図４】前記装置と、これに適した充電用支持台の略図。
【図５】電源となる部分と使用されている手段を含む前記装置の略図。
【図６】調節システムが示されている図５に類似の図。
【図７】遠隔取得手段を備え、エネルギーの形式及び／又は他のデータを記憶している、この発明の主題を形成する装置の略図。
【図８】前記装置の電子ダイアグラムの詳細図。
【図９】時間、波長及び発光出力又は複数個の発光ダイオードの出力をファンクションとする照射強度又は密度を示すグラフ。
【符号の説明】
【００８２】
１    本発明の装置
２    光源
３    放熱手段
４    エネルギー源（バッテリー）
５    中央ユニット
６    電力コード
７    ＤＣ／ＤＣカード
１０    本体
２０    ＬＥＤ
【図１】
2005516728.tif 000003
【図２】
2005516728.tif 000004
【図３】
2005516728.tif 000005
【図４】
2005516728.tif 000006
【図５】
2005516728.tif 000007
【図６】
2005516728.tif 000008
【図７】
2005516728.tif 000009
【図９】
2005516728.tif 000010
【図８】
2005516728.tif 000011
【国際調査報告】
2005516728.tif 000012
2005516728.tif 000013
2005516728.tif 000014
2005516728.tif 000015